(57)【要約】【課題】手押しポンプ付き容器の詰め替えのための穴を広くして、内容液を詰め替えやすくする。【解決手段】蓋１３を開放した状態で固定可能とするストッパーを有し、蓋１３を閉めるように付勢するヒンジ式連結部１６を介して接続された蓋１３と容器本体１４とが嵌合して密閉されうるポンプ付き容器とする。【選択図】図１
2008100699.tif 000002
【特許請求の範囲】
【請求項１】
容器本体（１４）及び蓋（１３）からなる容器であって、
前記容器本体（１４）は上部開放形であり、その上部開放部（１５）には嵌合式の蓋（１３）が設けられており、
前記蓋（１３）には、前記容器本体（１４）に収容した液体（２０）を吸い上げ、外部に供出するポンプ（１１）が設けられており、
そのポンプ（１１）には、前記容器本体（１４）の底部近くまで達するチューブ（１２）が設けられており、
前記蓋（１３）は前記容器本体（１４）にヒンジ式連結部（１６）を介して開閉可能に設けられており、かつ、前記蓋（１３）を開放した際に、蓋（１３）を開放状態で保持するストッパーを備えたことを特徴とする、ポンプ付き容器。
【請求項２】
上記蓋（１３）の内面の上記ヒンジ式連結部（１６）寄りの箇所に突出片（３６）を設け、前記蓋（１３）を開放した際にこの突出片（３６）が上記容器本体（１４）の上記上部開放部（１５）近傍に接触することにより、上記蓋（１３）を開放状態で保持する上記ストッパーとなることを特徴とする、請求項１に記載のポンプ付き容器。
【請求項３】
上記蓋（１３）を開放した状態では上記チューブ（１２）が上記容器本体（１４）に接触して上記蓋（１３）を開放状態で保持するストッパーとなることを特徴とする、請求項１に記載のポンプ付き容器。
【請求項４】
上記チューブ（１２）の少なくとも先端部近くを、弾性変形可能な材質によるものとし、上記蓋（１３）を開放した状態で、上記チューブ（１２）の先端近傍が屈曲した状態で、上記容器本体（１４）の上記上部開放部（１５）近傍に接触させることにより、上記蓋（１３）を開放状態で保持するストッパーとすることを特徴とする、請求項３に記載のポンプ付き容器。
【請求項５】
上記容器本体（１４）の内側である上記上部開放部（１５）近傍の壁面に、上記チューブ（１２）の先端（２３）を乗せておくことが可能なくぼみ又は溝である乗掛部（３８）を有し、
上記チューブ（１２）の先端が前記乗掛部（３８）に接触して、上記蓋（１３）を開放状態で保持するストッパーとすることを特徴とする、請求項３又は４に記載のポンプ付き容器。
【請求項６】
上記ヒンジ式連結部（１６）が、弾性変形して元に戻る材質で形成されており、上記蓋（１３）の開放時には上記蓋（１３）を閉める方向に付勢するように作用する構造であることを特徴とする、請求項１乃至５のいずれかに記載のポンプ付き容器。
【請求項７】
上記蓋（１３）に対する上記ポンプ（１１）の取り付け位置が、上記蓋（１３）の中央部よりも、上記ヒンジ式連結部（１６）寄りに設けられたことを特徴とする、請求項１乃至６のいずれかに記載のポンプ付き容器。
【請求項８】
上記容器本体（１４）の底面が傾斜を有しており、
上記蓋（１３）を閉じた状態で、上記ポンプ（１１）に連結したチューブ（１２）の先端（２３）が、上記容器本体（１４）の最深部近くに位置するようにしたことを特徴とする、請求項１乃至７のいずれかに記載のポンプ付き容器。
【請求項９】
上記蓋（１３）には、上記ヒンジ式連結部（１６）を介して環状バンド（３７）が設けられており、この環状バンド（３７）を上記容器本体（１４）に嵌めることで上記蓋（１３）と上記容器本体（１４）とを連結するものであり、
上記蓋（１３）と前記環状バンド（３７）との間に、上記蓋（１３）の開放時には不可逆的に切り離される切り離しベルト（４８）を有する、請求項１乃至８のいずれかに記載のポンプ付き容器。
【請求項１０】
上記蓋（１３）と上記容器本体（１４）とを連結するヒンジ式連結部（１６）の二辺の一方の辺の長さを他方の辺の長さより長くした、請求項１乃至９のいずれかに記載のポンプ付き容器。
【請求項１１】
少なくとも、上記蓋（１３）及び上記容器本体（１４）の接触部分を弾性変形可能な合成樹脂によって構成したことを特徴とする請求項１乃至１０のいずれかに記載のポンプ付き容器。
【発明の詳細な説明】
【技術分野】
【０００１】
この発明は、主にシャンプーやリンス等の粘調な液状物に用いられる、手押しポンプ付き容器に関し、その中身の詰め替えを容易にすることに関する。
【背景技術】
【０００２】
シャンプーやリンスなどの粘調な液体を所定量取り出す手押しポンプ付き容器は、近年の資源保護の観点から、中身を使い切った後、中身を補充して再利用することが一般に行われている。これらのほとんどは、図１７のように、ポンプ部分１が、容器本体２の中央上方部にある細くなった首部３のネジ部にとめることで、容器の蓋を兼ねて容器を密封しており、内容液を詰め替える際には、ポンプ部分１だけでなくチューブ４まで抜き取った上で、詰め替え容器から内容液を注ぐことが一般に行われている。ただし、内容液の詰め替え作業は、首部３の穴５が小さいためやや難しく、例えば特許文献１に記載のように、漏斗を使うなどして作業を簡略化することが検討されている。
【０００３】
また、詰め替えの作業を簡略化するために、中身のみを詰め替えるのではなく、詰め替え用の内容液を含む袋をそのまま容器本体としてしまう方法が、特許文献２に記載されている。
【０００４】
【特許文献１】特開２００５−２２５５６１号公報
【特許文献２】特開２００５−５９９４７号公報
【発明の開示】
【発明が解決しようとする課題】
【０００５】
しかしながら、わざわざその他の道具を使うのは煩わしく、その道具が無いと詰め替えが困難となってしまうため、道具を使わずに容易な詰め替えを可能にする必要があった。また、特許文献２のように袋を容器とするには袋の材質が耐久力のあるアルミなどに限定されてしまい、再利用を促進させる観点からは好ましくない場合もあった。
【０００６】
このため、図１８に示すように、容器本体２の上部開放部分を径が大きいままの大径部７とし、この大径部７に螺合部８を設けて、同様に径を大きくした蓋１０の螺合部９と螺合させることで開放部を開閉できるようにして、液の詰め替えを容易にすることも検討されたが、螺合部８，９が大きいために螺合がゆるみやすく、液漏れを起こすことがあった。また、容器本体２と蓋１０とは、詰め替え時に別々に外さざるを得ないため、取り外した蓋１０をチューブ４に付着している液が滴らないように逆さまに置いたりするといった工夫を使用者に強いるため、取り扱い上も不便であり、一般的に多用されるまでには至っていない。
【０００７】
そこでこの発明は、手押しポンプ付き容器の詰め替えのための穴を広く開放し、内容液を詰め替えやすくした容器を提供することを目的とする。
【課題を解決するための手段】
【０００８】
この発明は、容器本体の上部開放部が、蓋を嵌合することで密閉されるようにし、ヒンジ式連結部を介して接続された蓋及び容器本体に、蓋を開放した状態を保持可能なストッパーを設けることで、上記の課題を解決したのである。
【０００９】
すなわち、蓋をネジ止めではなく、容器本体の上部開放部と嵌合して密封するようにすることで、上部開放部を大きく広げることができるようになる。また、蓋と容器本体とがヒンジ式連結部で接続されつつ、蓋を開放した状態でストッパーにより保持されるため、ポンプの付いた蓋を外して別途置き場所を考える必要なく、蓋が開いたままの状態でそのまま内容液を詰めることができる。
【発明の効果】
【００１０】
この発明にかかる容器により、従来の詰め替え容器に比べて上部開放部を大きくすることができ、内容液の詰め替え作業を容易にすることができる。また、蓋を容器本体から外す必要なく開放状態で保持できるために、蓋とともにポンプを外すことで内容液を外部に付着させて汚したりすることなく、開放状態の広い上部開放部を通じてスムーズな詰め替え作業を行うことができる。
【発明を実施するための最良の形態】
【００１１】
以下、この発明を図１乃至図１４を用いて詳細に説明する。
この発明にかかるポンプ付き容器とは、ポンプ１１により、容器本体１４内に収容した内容液２０を、チューブ１２を通じて吸い上げて、供出口１９から供出するものである。ここで用いる内容液２０は、ポンプ１１を１回〜数回押して供出される量が１度の使用量となる薬液を用いるとよく、粘調な液体であってもよい。具体的には、リンス、コンディショナー、シャンプー、トリートメント等の洗髪料及び頭髪用化粧品類、下地用、美白用クレンジング用などのクリーム、化粧水等の仕上げ又は皮膚用化粧品類、洗顔クリーム、ハンドソープ、ボディソープ等の皮膚用洗浄剤、日焼け止め用又は日焼け用の化粧品類、皮膚防護剤、殺菌剤、痒み止め剤等の医療用塗布剤類、衣類用液体洗剤、台所用液体洗剤等の洗剤類、糊や接着剤等の事務用品類、調味料などが挙げられる。これらの中でも、使用後に内容液２０を詰め替えて補給し、長期間に亘って同じ容器で使用し続けても劣化が少ない薬剤を用いると好ましい。
【００１２】
この発明にかかるポンプ付き容器の構成は、蓋１３と容器本体１４とからなり、容器本体１４の上端面にある上部開放部１５が、蓋１３を嵌合することで密閉されうるものである。ネジ式ではなく、嵌合により密閉することで、上部開放部１５をネジ式による場合よりも広く確保することができ、内容液２０の詰め替えを容易にすることが出来る。
【００１３】
蓋１３にはポンプ１１を設けてあり、このポンプ１１の容器本体１４側にある吸入口２１に、容器本体１４の底部まで到達するチューブ１２が繋がっている。ポンプ１１は、このチューブ１２を通じて、容器本体１４に詰めた内容液２０を吸い上げて容器外部へ向けた供出口１９へ供出する。このポンプ１１は図１に記載のような手押しポンプでもよいし、電池等で駆動する電動ポンプでもよい。
【００１４】
容器本体１４は、図のような円筒形に限らず、角柱形でもよいし、その他容器として使用可能な形状であればよい。ただし、上部開放部１５は、密閉度を高め、転倒した際に内容物が漏れたりしないように、円形又は角に大きなアールを設けた角型であると好ましい。
【００１５】
蓋１３と容器本体１４とは、ヒンジ式連結部１６を介して接続されており、蓋１３を開放した際にも、別途取り外す必要がなく、取り付けたままにしておくことができる。また、蓋１３と容器本体１４とは、蓋１３を開放した状態で保持可能なストッパーを備えている。このため、内容液２０に濡れているチューブ１２を取り外す必要が無く床等に接触させて内容液２０で濡らすことなく、蓋１３を開けたままで詰め替え作業を行うことができる。
【００１６】
ヒンジ式連結部１６、通常、図示するような合成樹脂等の屈曲可能な材質（可撓性材料）からなる板状小片によって構成されるが、近年開発されている種々の形態の物が使用可能である。例えば、板状小片の厚さに変化を与え、柔らかく開閉可能としたもの、板状小片を波板状、すなわち蛇腹状としたもの等があるが、開閉の強弱等に応じ、適宜選択すればよい。また、互い違いに組み合わせた板の間をピンで軸支した通常の蝶番のような構成も可能である。
【００１７】
この発明にかかる容器は、通常用いられる詰め替え容器と同様に、蓋１３が天板３３と容器本体１４の上部開放部１５の周囲を覆う周壁３４とを有し、これらによって、容器が転倒しても内容物が漏れ出さない密閉度を備える。
【００１８】
この発明にかかる容器が有する上記のストッパーの構造は、種々の形態が可能である。例えば、図１乃至図３に示すように、蓋１３の密閉時には容器本体１４の縁部３２の内側に接触する位置となる、ヒンジ式連結部１６寄りの箇所に、蓋１３の天板３３から内面側に突出片３６を設けた構造が挙げられる。この突出片３６は、図１に示すように、蓋１３を開放した際に突出片３６の先端部近傍が容器本体１４の上部開放部１５の縁部３２に接触して、蓋１３が閉じるのを防止する上記ストッパーとして働く。
【００１９】
突出片３６の形状は特に限定されるものではなく、例えば、図１及び図２に示すように、リング状で、外径を容器本体１４の縁部３２とほぼ同一とすれば、蓋１３を閉じた際に蓋１３と容器本体１４との密閉性がより向上する。
【００２０】
また突出片３６の形状の他の例として、蓋１３の天板３３から、少なくともヒンジ式連結部１６側をカバーするようにした図３に記載のようなリングの一部が欠けた弧状や、舌片状、板状などの形状として、同様に蓋１３を開放した際に突出片３６の先端部近傍が容器本体１４の縁部３２に接触して、蓋１３が閉じるのを防止するストッパーとしてもよい。
【００２１】
天板３３には、上記のポンプ１１が設けられており、供出口１９が上方に、吸入口２１とそれに繋がるチューブ１２が下方に位置する。
【００２２】
容器本体１４の縁部３２と、突出片３６とが図１又は図３のように接触することで、蓋１３がこの接触部分２２と、ヒンジ式連結部１６との二点で支えられ、それ以上蓋１３が閉まろうとする動きを止めるストッパーとなるので、蓋１３を開放した状態を保持することができる。ここで縁部３２と接触する箇所は、図１のように突出片３６の側壁面であってもよいし、図３のように縁や先端部であってもよい。
【００２３】
ヒンジ式連結部１６は、後述する図８のように蓋１３の天板３３に直接接続されていてもよいし、図１に示すように周壁３４に接続されているものでもよい。
【００２４】
また、蓋１３の周壁３４の内側に図２乃至図７のような環状張り出し部３５を設け、これと嵌合するように、容器本体１４の縁部３２の下部に、外周が縮まった縮径部３１を設けてあると、嵌合された蓋１３が確実に密閉されるためより好ましい。さらに、蓋１３の突出片３６が全周に亘るものであり、密閉時に上部開放部１５の全周で容器本体１４と接すると、密閉性が高まりより好ましい。これらの嵌合する部分は、いずれも変形可能な樹脂製であると、嵌め合わせやすく、密閉しやすいので好ましい。
【００２５】
なお、突出片３６のうち、少なくともヒンジ式連結部１６寄りの部分は、壁面が縁部３２と接触するだけの高さを有することが必要であるが、突出片３６が全周に亘るものである場合、ヒンジ式連結部１６寄りでない部分が高すぎると、蓋１３を嵌め合わせる際に邪魔になることがあるため、図１に示すように突出片３６はヒンジ式連結部１６に近い部分が他の部分より図１のように高くなっているとより好ましい。
【００２６】
また、上記ストッパーを有する容器の別の構造としては、例えば、図４及び図５に記載のような構造が挙げられる。
すなわち、蓋１３を開いた際に、チューブ１２の先端２３が容器本体１４の壁面に接触し、チューブ１２が突っ張り、つっかい棒の役目を果たすことで、蓋１３を開放状態で留めるストッパーとするものである。この場合、チューブ１２は蓋１３を支えることができるだけの弾性力を有していることが必要であるとともに、蓋１３の開放時に容器本体１４の壁面に届くだけの長さを有していることが必要となる。先端２３が接触する箇所は、容器本体１４の壁面の上方であるほど蓋１３が大きく開放されるため、上部開放部１５の近傍に接触するものであると好ましい。
【００２７】
このような構造において、チューブ１２は、少なくとも先端部近くを弾性変形可能な材質とすることにより、図５のようにチューブ１２の先端が屈曲した状態で容器本体１４の上部開放部１５近傍に接触してつっかい棒状態となる。この構造の場合、容器本体１４が縦に長く、底部の最も深いところまで届かせるためにチューブ１２を長くしても、ポンプ１１の取り付け位置をヒンジ式連結部１６近くにする必要が無く、蓋１３の中央付近に設けることが出来る。
【００２８】
また、チューブ１２を突っ張らせて上記ストッパーとする別の構造としては、図６及び図７に記載の構造が挙げられる。
容器本体１４は、内側の壁面上部の上部開放部１５の近傍に、チューブ１２の先端２３を乗せておくことが可能な、くぼみ又は溝である乗掛部３８を有している。蓋１３を開放する際には、ヒンジ式連結部１６が曲がることでチューブ１２の先端２３が容器本体１４の底部から離れて、ヒンジ式連結部１６の対角に位置する壁面に近づく。このチューブ１２の先端部を乗せておくため、この乗掛部３８は、ヒンジ式連結部１６の対面側又は対面斜め側となる容器本体１４の内側の壁面上部に設けられているとよい。
【００２９】
この乗掛部３８に、図７のように、チューブ１２の先端２３を乗せて、チューブ１２を突っ張らせて、つっかい棒とすることで、上記ストッパーとして、蓋１３を開放した状態で保持可能にすることができる。この構造の場合、チューブ１２は蓋１３の重量を支えておくことができる程度の固さを有している必要がある。また一方でチューブ１２は、先端２３を容易に乗掛部３８に乗せられるようにある程度の可撓性を有していると好ましい。さらに、乗掛部３８は壁面の上部開放部１５近傍にあることが、蓋１３の十分な開放のために望ましい。
【００３０】
また、チューブ１２は、その長さが、蓋１３を開放して保持する状態での乗掛部３８までの長さに等しいと好ましい。従って、ポンプ１１をヒンジ式連結部１６に近い側に設けて、乗掛部３８とポンプ１１との距離を大きく取ると、底が深い容器に合わせて長くしたチューブ１２にも対応できるため好ましい。一方で、チューブ１２の一部が弾性変形可能な材質によるものである場合は、前記の乗掛部３８を容器本体１４の上部開放部１５よりも比較的下方に設けることが可能となるので、チューブ１２は乗掛部３８までの長さよりも長いものでもよい。さらに、このチューブ１２は上記のように、内容液２０を吸い上げる必要があるため、容器本体１４の底部までの長さを有している必要があり、弾性変形可能な材質であると図４のようにチューブ１２を長くしてもよいため好ましい。
【００３１】
このようにチューブ１２を突っ張らせ、つっかい棒として上記ストッパーを実現する場合、蓋１３と容器本体１４との嵌合する構造については特に限定されるものではない。例えば、図３に記載のように、蓋１３の天板３３の周囲に周壁３４を設け、この周壁３４に内側に張り出した環状張り出し部３５を設け、この環状張り出し部３５と嵌め合わせられるように容器本体１４の上部開放部１５に、外周が縮んだ縮径部３１を設けて、嵌め合わせることで、蓋１３を密閉する構造が挙げられる。
【００３２】
一方、上記のように例示した上記ストッパーをより確実に働かせるために、蓋１３に連結したヒンジ式連結部１６が蓋１３を閉める方向に付勢するものであると、蓋１３が上部開放部１５から離れて下方へ倒れるようなことがないのでより好ましい。また、閉じる方向に付勢された蓋１３が上記ストッパーにより止められることで、蓋１３を開放したまま保持する状態での安定性が高まる。具体的には、ヒンジ式連結部１６が、弾性のあるゴムや樹脂等からなり、屈曲された場合に元に戻る力により、蓋１３を閉めるようにするとよい。
【００３３】
その構造としては、図１及び図２、図４及び図５のように、蓋１３が板状の樹脂であるヒンジ式連結部１６を介して環状バンド３７と接続しており、この環状バンド３７を容器本体１４の外側で、縮径部３１より下の帯状部分に嵌めることで、蓋１３と容器本体１４とを連結した構造が挙げられる。この場合、ヒンジ式連結部１６及び環状バンド３７は同種の樹脂等からなり、環状バンド３７を、力を加えて拡張したり、容器本体１４の縁部３２を押し縮めたりすることで、前記帯状部分に嵌めやすくなっている。また、変形可能な樹脂等からなるヒンジ式連結部１６は、蓋１３の開放時には曲げられ、それが元に戻ろうとする力により、蓋１３を閉める方向に付勢するものである。
【００３４】
また、ヒンジ式連結部１６の別の構造として、図３及び図６，図７に記載のように、容器本体１４に設けられた係合片１７に、蓋１３の周壁３４に繋がり、係合片１７を引掛け片１８とを係合することで、これらの係合片１７と引掛け片１８とによってヒンジ式連結部１６を形成し、蓋１３と容器本体１４とを連結する構造が挙げられる。この場合、係合片１７は弾力性が少なく容器本体１４に固定されているものでよいが、引掛け片１８は係合片１７によって固定されつつ、蓋１３を開くことで曲がったり戻ったり変形する役を為し、かつ、それが元に戻る力によって蓋１３を閉める方向に付勢するものであるため、弾性のあるゴム又は樹脂等であることが好ましい。
【００３５】
この係合片１７と引掛け片１８との構造の一例を図８（ａ）乃至（ｄ）に示す。
図８（ａ）に示した係合片１７及び引掛け片１８の構造は、蓋１３から繋がる引掛け片１８の先端が張り出した張り出し部分１８ａを有しており、この張り出し部分１８ａを容器本体１４の側壁で輪を形成する係合片１７に通した後は、張り出し部分１８ａが係合片１７に引っかかって抜き取ることが出来ない構造となる。なお、この場合、係合片１７と引掛け片１８の少なくとも一方は、張り出した部分を通すために弾性変形可能な材質である必要がある。
【００３６】
また、図８（ｂ）に示した係合片１７及び引掛け片１８の構造は、同様に蓋１３から繋がる引掛け片１８の先端が張り出した張り出し部分１８ａを有しており、容器本体１４の側壁に設けられた一対の係合片１７の間に引掛け片１８を挟み込ませることで、張り出し部分１８ａが係合片１７に引っかかって抜き取ることができない構造となる。この場合も、係合片１７と引掛け片１８の少なくとも一方は、張り出した部分を通すために弾性変形可能な材質である必要がある。
【００３７】
これらの図８（ａ）及び（ｂ）に示した構造の場合、引掛け片１８のヒンジ式連結部１６に相当するスライド部分１８ｂの長さを長くすることにより、引掛け片１８が容器本体の側面に沿って上下方向にスライド可能となる。すなわち、蓋１３を開放したときに、蓋１３の位置に自由度が増える構造となり、より深さが広い容器、すなわちチューブ１２が長い容器にも対応可能となる。ただし、上記ストッパーが作用する範囲の自由度でないと、蓋１３を開放時に固定することが困難となるおそれがある。
【００３８】
図８（ｃ）及び（ｄ）に示した構造は、係合片１７が張り出し部分１７ａを有しており、引掛け片１８は張り出し部分１７ａを通過可能な穴１８ｃと、その穴１８ｃと繋がっており、張り出し部分１７ａが通過できない径又は幅である狭部１８ｄとを有している。張り出し部分１７ａが穴１８ｃを通した後、引掛け片１８を横にスライドさせて、張り出し部分１７ａを狭部１８ｄに引っ掛けることで固定する。
【００３９】
一方、このようなポンプ付き容器を密封する別の構造として、図９及び図１０に記載の構造が挙げられる。これは、蓋１３の周囲には溝部４１が設けられており、この溝部４１に、容器本体１４の上方開放部１５の縁部４２が、掛け止め式に嵌め合わされることで、蓋１３を密閉する。このため、溝部４１内にはＯリング状の弾性体からなるシール材を設けると好ましい。
【００４０】
ヒンジ式連結部１６の対面側、又は斜め対面側となる容器本体１４の外側に張り出し部４４を設け、蓋１３のヒンジ式連結部１６の対面側等に、孔４５を有する引っ掛け部４６を設け、孔４５に張り出し部４４を通して引っ掛け部４６を固定することで、蓋１３を確実に密閉することができる。
【００４１】
いずれの構造であっても、蓋１３の天板３３上におけるポンプ１１の位置は、蓋１３の天板３３の中央よりもヒンジ式連結部１６寄りであることが望ましい。これにより、ヒンジ式連結部１６を曲げて蓋１３を開ける際に、チューブ１２が上部開放部１５のヒンジ式連結部１６の対面側となる部分や内壁などに当接するまでの距離が長くなる。この発明にかかるポンプ付き容器であると、従来の詰め替え容器において蓋をネジ止めするために容器本体１４の成形の際に中心付近にネジ部のついた口部を設けるのとは違い、容器本体１４の上端面を十分に開放し、蓋１３の任意の位置にポンプ１１を設けることができるようになるため、ポンプ１１の位置をより好ましい位置に変更することが容易である。
【００４２】
特に、図６、７，９，１０の構造の場合、ポンプ１１の取り付け位置がヒンジ式連結部１６寄りであると、その分対角となる箇所にある乗掛部３８にチューブ１２の先端２３を乗せやすくなるのでより好ましい。また、ポンプ１１の位置を蓋１３の中央よりも外縁に近づけて、供出口１９の先端が容器本体１４よりも外側に位置するようにすると、供出口１９から供出された内容液２０を手に取るために供出口１９の下に手を差し伸べやすくなり、ポンプ部分が扱いやすくなる。
【００４３】
また、いずれの構造であっても、容器本体１４の底面は、傾斜を有していると好ましい。傾斜を有していることで、内容液２０が一箇所に集まりやすくなり、残量が少なくなったときでも吸い上げやすくなる。これに合わせて、図４に記載のように、蓋１３を密閉した際にチューブ１２の先端が、容器本体の底のうち最も深い部分に到達するようになっていると、内容液２０をできるだけ使い切ってから詰め替えを行うことができるためより好ましい。すなわち、ポンプ１１から延びるチューブ１２の先端位置を蓋１３の中央からヒンジ式連結部１６寄りにした場合、前記最深部はそれに合わせてヒンジ式連結部１６がある方向に寄るものとする。
【００４４】
なお、上記の環状バンド３７を用いて蓋１３を容器本体１４と連結する場合、図１１のように、蓋１３と環状バンド３７との間に、板状の樹脂からなるヒンジ式連結部１６から延びて、蓋１３と環状バンド３７との間を、全周に亘って繋ぐ切り離しベルト４８を有していると好ましい。この切り離しベルト４８は、手で蓋１３及び環状バンド３７から切り離し可能であり、図１２のように一度切り離したら、元に戻せないものである必要がある。材質としては、樹脂フィルムや紙であってもよく、環状バンド３７と同一の樹脂素材であってもよい。このような切り離しベルト４８を有していると、蓋１３を一度でも開封する際には、図１２のようにこの切り離しベルト４８を切り離さなければならなくなり、開封済みか開封済みで無いかを、切り離しベルト４８の状況によって判断することができる。これにより、店頭で開封されて中身が入れ替えられたり、異物を混入されたりした場合に、すぐに異常であると気づくことができる。また、周囲を固定するため、密閉性を高めることが出来る。なお、図１１及び図１２ではストッパーを省略している。
【００４５】
また、同様に上記の環状バンド３７を用いて蓋１３と容器本体１４とを連結する場合、板状であるヒンジ式連結部１６の、蓋１３と環状バンド３７との間の二辺を、図１３のように、一方の辺５１を他方の辺５２より長くすることも考えられる。二辺の長さが同じ場合には、図１４のように、蓋１３の開放時にチューブ１２が直径方向すなわち上部開放部１５の中央部方向に位置し、詰め替え容器の構造によっては内容液２０の入れ替え時に邪魔となる場合も考えられる。しかし、図１３のように一方の辺５１が長いと、蓋１３を開放した際に、他方の短い辺５２側に蓋１３が傾いて、図１５のようにチューブ１２の向く角度が変わる。これにより、上部開放部１５の中央部分が大きく開放された状態となり、内容液２０の詰め替えがよりやりやすくなる。
【００４６】
さらに、図１６（ａ）乃至（ｃ）に同様の効果を発揮するヒンジ式連結部１６の別の構造を示す。これは、図８（ｂ）に示した、引掛け片１８を一対の係合片１７で挟む構造と同様の機構であって、スライド部分１８ｂを含む引掛け片１８全体を円弧状に形成したものであり、引掛け片１８の一方の辺５１が他方の辺５２より長くなっている。この場合、図１３に示した構造と同様に、蓋１３の開放時に、チューブ１２を容器本体１４の上部開放部１５の中心からずらした位置に上げることが出来る。なお、図１６（ｂ）は蓋１３を閉めた状態であり、図１６（ｃ）は引掛け片１８を係合片１７から外した状態の図である。
【００４７】
なおこの場合、チューブ１２により突っ張らせてストッパーとするよりも、突出片３６によりストッパーとすることが好ましい。チューブ１２が壁面に対して斜めに接するため、固定しにくくなるためである。チューブ１２を突っ張らせる場合、チューブ１２を乗せる乗掛部３８は、ヒンジ式連結部１６の対角ではなく、斜めに向いたチューブ１２の向く箇所に設けると好ましい。
【００４８】
また、上記に示した以外にも、この発明にかかる容器の材料は、少なくとも嵌め合わせを行う部分は樹脂製であると好ましく、全体が樹脂製であってもよい。力を加えることで変形し、嵌め合わせが容易に出来るだけでなく、成形も容易となるためである。
【００４９】
これらの例のような構造を有する容器により、従来のネジ型の蓋により密閉していたポンプ付き容器に比べて、内容液を詰め替えるための上部開放部を大きく確保することができる。さらにその上部開放部を、開いた状態で保持することができるので、内容液を使い切った際に、詰め替え用の内容液を詰める作業を容易に行うことができる。
【図面の簡単な説明】
【００５０】
【図１】この発明にかかる容器の第一の構造例を示す外観図
【図２】この発明にかかる容器の第一の構造例を示す断面図
【図３】この発明にかかる容器の突出片の径が小さい構造例を示す断面図
【図４】この発明にかかる容器のチューブをストッパーとする構造例を示す断面図
【図５】この発明にかかる容器のチューブをストッパーとする構造例を示す開放時の断面図
【図６】この発明にかかる容器の乗掛部を有する構造例を示す断面図
【図７】この発明にかかる容器の乗掛部を有する構造例を示す開放時の断面図
【図８】（ａ）〜（ｄ）ヒンジ式連結部の例を示す図
【図９】この発明にかかる容器の掛け止め式に密閉する構造例を示す断面図
【図１０】この発明にかかる容器の掛け止め式に密閉する構造例を示す開放時の断面図
【図１１】切り離しバンドを有する構造を示す概略図
【図１２】切り離しバンドを切り離した際の概略図
【図１３】ヒンジ式連結部の一方の辺を長くした構造を示す図
【図１４】ヒンジ式連結部の両辺の長さが等しい場合の蓋開放時におけるチューブの向く方向を示す図
【図１５】ヒンジ式連結部の両辺の長さが異なる場合の蓋開放時におけるチューブの向く方向を示す図
【図１６】（ａ）〜（ｃ）連結部の両辺の長さが異なるヒンジ式連結部の例を示す図
【図１７】従来のポンプ付き容器の概略図
【図１８】従来のポンプ付き容器で首部から径を広げた場合の検討図
【符号の説明】
【００５１】
１  ポンプ部分
２  容器本体
３  首部
４  チューブ
５  穴
６  供給口
７  大径部
８、９  螺合部
１１  ポンプ
１２  チューブ
１３  蓋
１４  容器本体
１５  上部開放部
１６  ヒンジ式連結部
１７  係合片
１７ａ  張り出し部分
１８  引掛け片
１８ａ  張り出し部分
１８ｂ  スライド部分
１８ｃ  穴
１８ｄ  狭部
１９  供出口
２０  内容液
２１  吸入口
２２  接触部分
２３  先端
３１  縮径部
３２  縁部
３３  天板
３４  周壁
３５  環状張り出し部
３６  突出片
３７  環状バンド
３８  乗掛部
４１  溝部
４２  縁部
４３  溝壁
４４  張り出し部
４５  孔
４６  引っ掛け部
４８  切り離しベルト
５１  一方の辺（長辺）
５２  他方の辺（短辺）
【図１】
2008100699.tif 000003
【図２】
2008100699.tif 000004
【図３】
2008100699.tif 000005
【図４】
2008100699.tif 000006
【図５】
2008100699.tif 000007
【図６】
2008100699.tif 000008
【図７】
2008100699.tif 000009
【図８】
2008100699.tif 000010
【図９】
2008100699.tif 000011
【図１０】
2008100699.tif 000012
【図１１】
2008100699.tif 000013
【図１２】
2008100699.tif 000014
【図１３】
2008100699.tif 000015
【図１４】
2008100699.tif 000016
【図１５】
2008100699.tif 000017
【図１６】
2008100699.tif 000018
【図１７】
2008100699.tif 000019
【図１８】
2008100699.tif 000020